(57)【要約】【課題】通信時間を短くすると共に端末からのアクセスを容易にすること。【解決手段】サーバ２は、画像データ記憶手段１３に記憶した第１画像データが配設されているＷＥＢサイトの所在を表すＵＲＬを含むと共に前記第１画像データに対応する画像であって前記第１画像データよりも小さい第２画像データを生成し、ネットワーク１５を介して前記第２画像データを送信先アドレス記憶手段１４に記憶した送信先アドレスに送信する。端末１は、ネットワーク１５を介して前記第２画像データを受信し、液晶表示部６は前記第２画像データ及び前記ＵＲＬにアクセスするか否かの選択指示を表示し、ブラウザ７はユーザインタフェース３が前記ＵＲＬにアクセスすることを選択したことに応答して前記ＵＲＬにアクセスする。【選択図】図１
2008146462.tif 000002
【特許請求の範囲】
【請求項１】
第１画像データを記憶する画像データ記憶手段と、送信先アドレスを記憶する送信先アドレス記憶手段と、前記第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを前記送信先アドレス記憶手段に記憶した送信先アドレスに送信する送信手段とを有する画像サーバ手段と、
前記ネットワークを介して前記画像サーバ手段から前記第２画像データを受信する受信手段と、前記受信手段によって受信した前記第２画像データ及び前記第２画像データに含まれるＵＲＬにアクセスするか否かの選択指示を表示する表示手段と、操作手段と、前記操作手段が前記ＵＲＬにアクセスすることを選択したことに応答して前記ＵＲＬにアクセスするアクセス手段とを有し、前記送信先アドレス記憶手段に記憶された送信先アドレスを有する第１端末手段とを備えて成ることを特徴とするネットワークシステム。
【請求項２】
前記表示手段は、前記受信手段によって受信した前記第２画像データに含まれるＵＲＬにアクセスするか否かの選択指示を表示する際に、前記アクセス手段に対して前記第２画像データに含まれるＵＲＬを通知し、
前記アクセス手段は、前記操作手段が前記ＵＲＬにアクセスすることを選択したことに応答して前記ＵＲＬにアクセスすることを特徴とする請求項１記載のネットワークシステム。
【請求項３】
前記第１端末手段は、画像を撮影する撮影手段と、前記撮影手段によって撮影した画像及びメールの送信先である第２端末手段のメールアドレスを含むメールを広告サーバ手段に送信するメール送信手段とを有し、
前記広告サーバ手段は、メールアドレスと口座番号を対応付けて記憶した口座番号記憶手段と、受信したメールの画像に宣伝用ＵＲＬを付加するＵＲＬ付加手段と、前記宣伝用ＵＲＬを付加したメールを、該メールの送信先である前記第２端末手段に送信する送信手段と、前記口座番号記憶手段を参照して、前記宣伝用ＵＲＬを付加したメールの送信元及び送信先のメールアドレスに対応する口座番号に所定金額を送金する送金手段とを有することを特徴とする請求項１又は２記載のネットワークシステム。
【請求項４】
前記第２端末手段は、前記ネットワークを介してメールを受信する受信手段と、前記受信手段によって受信したメールに含まれる画像データ及び前記宣伝用ＵＲＬにアクセスするか否かの選択指示を表示する表示手段と、操作手段と、前記操作手段が前記ＵＲＬにアクセスすることを選択したことに応答して前記画像データに含まれるＵＲＬにアクセスするアクセス手段とを有することを特徴とする請求項３記載のネットワークシステム。
【請求項５】
前記画像データはＪＰＥＧ形式データであり、前記ＵＲＬは前記ＪＰＥＧ形式データのヘッダ部分に付加されて成ることを特徴とする請求項１乃至４のいずれか一に記載のネットワークシステム。
【請求項６】
第１画像データを記憶する画像データ記憶手段と、送信先アドレスを記憶する送信先アドレス記憶手段と、前記第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを前記送信先アドレス記憶手段に記憶した送信先アドレスに送信する送信手段とを備えて成ることを特徴とするサーバ。
【請求項７】
メールアドレスと口座番号を対応付けて記憶した口座番号記憶手段と、受信したメールの画像に宣伝用ＵＲＬを付加するＵＲＬ付加手段と、前記宣伝用ＵＲＬを付加したメールを、該メールの送信先である端末手段に送信する送信手段と、前記口座番号記憶手段を参照して、前記宣伝用ＵＲＬを付加したメールの送信元及び送信先のメールアドレスに対応する口座番号に所定金額を送金する送金手段とを有することを特徴とするサーバ。
【請求項８】
コンピュータを、
第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを前記送信先アドレス記憶手段に記憶した送信先アドレスに送信する送信手段として機能させることを特徴とするプログラム。
【請求項９】
コンピュータを、
受信したメールの画像に宣伝用ＵＲＬを付加するＵＲＬ付加手段と、前記宣伝用ＵＲＬを付加したメールを、該メールの送信先である端末手段に送信する送信手段と、メールアドレスと口座番号を対応付けて記憶した口座番号記憶手段を参照して、前記宣伝用ＵＲＬを付加したメールの送信元及び送信先のメールアドレスに対応する口座番号に所定金額を送金する送金手段として機能させることを特徴とするプログラム。
【発明の詳細な説明】
【技術分野】
【０００１】
本発明は、ネットワークを介して端末からサーバへアクセスするためのネットワークシステム、前記ネットワークシステムに好適なサーバ、及び前記サーバを構築するためのプログラムに関する。
【背景技術】
【０００２】
近年、テレビにおける広告（ＴＶ  ＣＭ）にて、商品の内容をあまり説明せずにホームページのＵＲＬ（Uniform Resource Locator）（もしくは、検索キーワード）を記載して、ホームページへ誘導し、ホームページにて詳細な説明を行うといった宣伝方法をとっている企業が増加している。
しかし、ＴＶ  ＣＭにてＵＲＬを覚えたとしても、パソコンなどでアクセスする際に自らＵＲＬを入力する（もしくは、検索キーワードで検索する）ということが必要となるため、煩雑になるという問題がある。
【０００３】
また、携帯電話でのＷＥＢ（World Wide Web）アクセスでは、パソコンのブラウザのようにＵＲＬが表示されていないため、普段からＵＲＬを意識していないユーザーが多い。そのようなユーザーにとっては、ＵＲＬをＴＶ  ＣＭで表示されたとしても、あまり馴染みがないためアクセスするに至らない場合が多いという問題がある。
このような問題を解決する方法として、送信側でＧＩＦ（Graphics Interchange Format）形式の画像データにＵＲＬを付加して送信し、端末側で前記ＵＲＬにアクセスするようにした発明が開発されている（例えば、特許文献１、２参照）。これにより、端末側から前記ＵＲＬに容易にアクセスすることが可能になる。
【０００４】
しかしながら、前記特許文献１、２記載の発明においては、データ量の大きい画像データにＵＲＬを付加して送信するため、データ送受信が長時間になるという問題がある。また、送信時間が長くなるため、通信路を占有する時間が長くなったり、通信費用が高くなる等の問題がある。
【０００５】
【特許文献１】特開２００２−２９７４８７号公報
【特許文献２】特開２００５−８０１８６号公報
【発明の開示】
【発明が解決しようとする課題】
【０００６】
本発明は、通信時間を短くすると共に端末からのアクセスを容易にすることを課題としている。
また、本発明は、端末の通信費用を低減することができるようにすることを課題としている。
【課題を解決するための手段】
【０００７】
本発明によれば、第１画像データを記憶する画像データ記憶手段と、送信先アドレスを記憶する送信先アドレス記憶手段と、前記第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを前記送信先アドレス記憶手段に記憶した送信先アドレスに送信する送信手段とを有する画像サーバ手段と、前記ネットワークを介して前記画像サーバ手段から前記第２画像データを受信する受信手段と、前記受信手段によって受信した前記第２画像データ及び前記第２画像データに含まれるＵＲＬにアクセスするか否かの選択指示を表示する表示手段と、操作手段と、前記操作手段が前記ＵＲＬにアクセスすることを選択したことに応答して前記ＵＲＬにアクセスするアクセス手段とを有し、前記送信先アドレス記憶手段に記憶された送信先アドレスを有する第１端末手段とを備えて成ることを特徴とするネットワークシステムが提供される。
【０００８】
画像サーバ手段側では、画像データ生成手段が前記第１画像データが配設されているサイトの所在を表すＵＲＬを含むと共に前記第１画像データに対応する画像であって前記第１画像データよりも小さいデータ量の第２画像データを生成し、送信手段がネットワークを介して前記第２画像データを前記送信先アドレス記憶手段に記憶した送信先アドレスに送信する。第１端末手段側では、受信手段が前記ネットワークを介して前記画像サーバ手段から前記第２画像データを受信し、表示手段が前記受信手段によって受信した前記第２画像データに含まれるＵＲＬにアクセスするか否かの選択指示を表示し、アクセス手段が操作手段が前記ＵＲＬにアクセスすることを選択したことに応答して前記ＵＲＬにアクセスする。
【０００９】
ここで、前記表示手段は、前記受信手段によって受信した前記第２画像データに含まれるＵＲＬにアクセスするか否かの選択指示を表示する際に、前記アクセス手段に対して前記第２画像データに含まれるＵＲＬを通知し、前記アクセス手段は、前記操作手段が前記ＵＲＬにアクセスすることを選択したことに応答して前記ＵＲＬにアクセスするように構成してもよい。
【００１０】
また、前記第１端末手段は、画像を撮影する撮影手段と、前記撮影手段によって撮影した画像及びメールの送信先である第２端末手段のメールアドレスを含むメールを広告サーバ手段に送信するメール送信手段とを有し、前記広告サーバ手段は、メールアドレスと口座番号を対応付けて記憶した口座番号記憶手段と、受信したメールの画像に宣伝用ＵＲＬを付加するＵＲＬ付加手段と、前記宣伝用ＵＲＬを付加したメールを、該メールの送信先である前記第２端末手段に送信する送信手段と、前記口座番号記憶手段を参照して、前記宣伝用ＵＲＬを付加したメールの送信元及び送信先のメールアドレスに対応する口座番号に所定金額を送金する送金手段とを有するように構成してもよい。
【００１１】
また、前記第２端末手段は、前記ネットワークを介してメールを受信する受信手段と、前記受信手段によって受信したメールに含まれる画像データ及び前記宣伝用ＵＲＬにアクセスするか否かの選択指示を表示する表示手段と、操作手段と、前記操作手段が前記ＵＲＬにアクセスすることを選択したことに応答して前記画像データに含まれるＵＲＬにアクセスするアクセス手段とを有するように構成してもよい。
また、前記画像データはＪＰＥＧ形式データであり、前記ＵＲＬは前記ＪＰＥＧ形式データのヘッダ部分に付加されて成るように構成してもよい。
【００１２】
また、本発明によれば、第１画像データを記憶する画像データ記憶手段と、送信先アドレスを記憶する送信先アドレス記憶手段と、前記第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを前記送信先アドレス記憶手段に記憶した送信先アドレスに送信する送信手段とを備えて成ることを特徴とするサーバが提供される。
画像データ生成手段は、第１画像データが配設されているサイトの所在を表すＵＲＬを含むと共に前記第１画像データに対応する画像であって前記第１画像データよりも小さいデータ量の第２画像データを生成する。送信手段は、ネットワークを介して前記第２画像データを前記送信先アドレス記憶手段に記憶した送信先アドレスに送信する。
【００１３】
また、本発明によれば、メールアドレスと口座番号を対応付けて記憶した口座番号記憶手段と、受信したメールの画像に宣伝用ＵＲＬを付加するＵＲＬ付加手段と、前記宣伝用ＵＲＬを付加したメールを、該メールの送信先である端末手段に送信する送信手段と、前記口座番号記憶手段を参照して、前記宣伝用ＵＲＬを付加したメールの送信元及び送信先のメールアドレスに対応する口座番号に所定金額を送金する送金手段とを有することを特徴とするサーバが提供される。
【００１４】
ＵＲＬ付加手段は、受信したメールの画像に宣伝用ＵＲＬを付加する。送信手段は、前記宣伝用ＵＲＬを付加したメールを、該メールの送信先である端末手段に送信する。送金手段は、口座番号記憶手段を参照して、前記宣伝用ＵＲＬを付加したメールの送信元及び送信先のメールアドレスに対応する口座番号に所定金額を送金する。
【００１５】
また、本発明によれば、コンピュータを、第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを送信先アドレス記憶手段に記憶した送信先アドレスに送信する送信手段として機能させることを特徴とするプログラムが提供される。
【００１６】
コンピュータはプログラムを実行することにより、第１画像データが配設されているサイトの所在を表すＵＲＬを含むと共に前記第１画像データに対応する画像であって前記第１画像データよりも小さいデータ量の第２画像データを生成する画像データ生成手段と、ネットワークを介して前記第２画像データを送信先アドレス記憶手段に記憶した送信先アドレスに送信する送信手段として機能する。
【００１７】
また、本発明によれば、コンピュータを、受信したメールの画像に宣伝用ＵＲＬを付加するＵＲＬ付加手段と、前記宣伝用ＵＲＬを付加したメールを、該メールの送信先である端末手段に送信する送信手段と、メールアドレスと口座番号を対応付けて記憶した口座番号記憶手段を参照して、前記宣伝用ＵＲＬを付加したメールの送信元及び送信先のメールアドレスに対応する口座番号に所定金額を送金する送金手段として機能させることを特徴とするプログラムが提供される。
【００１８】
コンピュータはプログラムを実行することにより、受信したメールの画像に宣伝用ＵＲＬを付加するＵＲＬ付加手段と、前記宣伝用ＵＲＬを付加したメールを、該メールの送信先である端末手段に送信する送信手段と、メールアドレスと口座番号を対応付けて記憶した口座番号記憶手段を参照して、前記宣伝用ＵＲＬを付加したメールの送信元及び送信先のメールアドレスに対応する口座番号に所定金額を送金する送金手段として機能する。
【発明の効果】
【００１９】
本発明に係るネットワークシステムによれば、サーバと端末間の通信時間を短くすると共に端末からのアクセスを容易にすることが可能になる。また、端末の通信費用を低減することが可能になる。
また、本発明に係るサーバによれば、前記ネットワークシステムを構築するに適したサーバが提供される。
また、本発明に係るプログラムをコンピュータが実行することにより、前記サーバとして機能させることが可能になる。
【発明を実施するための最良の形態】
【００２０】
図１は、本発明の第１の実施の形態に係るネットワークシステムのブロック図である。
図１において、端末１はネットワーク１５を介してサーバ２と接続される。サーバ２は画像サーバ手段を構成している。
端末１は、ユーザが所持する一般的な端末であり、キースイッチ等によって構成されるユーザーインターフェース３、アプリケーション４、液晶表示部（ＬＣＤ）６、ブラウザ７を有している。また、端末１は、ＪＰＥＧ（Joint Photographic Expert Group）形式の画像のデコードはもちろん、デコードした際にＪＰＥＧ形式画像データのヘッダを解析し、コメント領域に記載されているＵＲＬ（Uniform Resource Locator）をアプリケーション４に通知するデコーダ５を有している。
【００２１】
尚、アプリケーション４、ブラウザ７及びデコーダ５は、端末１が有する中央処理装置（ＣＰＵ）（図示せず）が実行する機能を表している。アプリケーション４は前記ＣＰＵがアプリケーションソフトウェアを実行することによって実現する機能を表しており、アプリケーション４は後述する機能を実行する。ブラウザ７は前記ＣＰＵがブラウザソフトウェアを実行することによって実現する機能を表しており、ブラウザ４は後述する機能を実行する。また、デコーダ５は前記ＣＰＵがデコーダ用ソフトウェアを実行することによって実現する機能を表しており、デコーダ５は後述する機能を実行する。
【００２２】
ここで、ブラウザ７はネットワーク１５を介してサーバ２から第２画像データを受信する受信手段を構成し、ＬＣＤ６はブラウザ７によって受信した前記第２画像データ及びサーバ２にアクセスするか否かの選択指示を表示する表示手段を構成し、ユーザインタフェース３は操作手段を構成している。
また、ブラウザ７はユーザインタフェース７がサーバ２にアクセスすることを選択したことに応答して前記第２画像データに含まれるＵＲＬにアクセスするアクセス手段を構成し、端末１は送信先アドレス記憶手段１４に記憶された送信先アドレスを有する第１端末手段を構成している。
【００２３】
端末１としては、デスクトップ型パーソナルコンピュータ（パソコン）をはじめとして、ノートブック型パソコン、携帯電話、ＰＨＳ、通信機能を有するＰＤＡ（Personal Digital Assistants）等の通信機能を有する携帯機器等が使用可能である。画像サーバを構成するサーバ２は前記ＵＲＬのサーバである。また、１５はインターネット等のネットワークである。
【００２４】
サーバ２は、中央処理装置（ＣＰＵ）９、表示部１０、操作部１１、磁気ディスク記憶部１２を有している。記憶手段を構成する磁気ディスク記憶部１２は、前記第２画像データに対応する画像であって前記第２画像データよりも大きな第１画像データ（例えば、鮮明な画像データであったり、他の画像をも含む画像データ）を複数記憶する画像データ記憶手段１３と、電子メールの送信先アドレスを記憶する送信先アドレス記憶手段１４を有している。
【００２５】
ここで、ＣＰＵ９は、磁気ディスク記憶部１２に記憶されているプログラムを実行することによって後述する所襟を行う。尚、ＣＰＵ９は、自己のＵＲＬを含むと共に画像データ記憶手段１３に記憶した第１画像データに対応する画像であって前記第１画像データよりも小さいデータ量の第２画像データを生成する画像データ生成手段、ネットワーク１５を介して前記第２画像データを送信先アドレス記憶手段１４に記憶した送信先アドレスに送信する送信手段を構成している。
図２は、本第１の実施の形態の処理を示すフローチャートである。
【００２６】
以下、図１及び図２を用いて、本第１の実施の形態に係るネットワークシステム、サーバ及びコンピュータ用プログラムについて詳細に説明する。
まず、サーバ２は、ＪＰＥＧ形式の画像データにＵＲＬ（Uniform Resource Locator）を付加する。ここでは、企業が宣伝目的に作成した画像データに、該当ＷＥＢサイトへアクセスしてもらうためにＵＲＬを挿入するものとする。
【００２７】
ＪＰＥＧ形式の画像データのヘッダ部において、Ｓｙｎｔａｘにコメント用途の０ｘＦＦＦＥというマーカから始まるコメント記入部（ＣＯＭ）があり、任意のコメントを挿入することができる。また、いくつも挿入することができるので、本第１の実施の形態では、最初のＣＯＭ部分（ＣＯＭ１とする）には、ＵＲＬを挿入し、連続した次のＣＯＭ部分（ＣＯＭ２とする）に簡単な該当ＷＥＢサイトの説明を挿入することとする。
【００２８】
サーバ２が前記ＪＰＥＧ形式画像データにＵＲＬを付加する際、前記ＪＰＥＧ画像データは、小さいサイズ（例えばｓｕｂ−ＱＣＩＦ）の画像データ（第２画像データ；サンプル画像データ）とする。付加されているＵＲＬは、前記第２画像データに対応する画像であって前記第２画像データよりもデータ量の大きい画像データ（第１画像データ；例えば前記第２画像に対応する詳細画像データや企業が宣伝する商品の画像のような詳細画像データ）をダウンロードできるダウンロード専用ＷＥＢサイト（前記第１画像データが排せるされたＷＥＢサイトの所在を表すＵＲＬ）とすることができる。本第１の実施の形態では、サーバ２が前記画像ダウンロード用のサーバを兼用している。これにより、サンプル画像を見たユーザが、端末１によってアクセスしたＷＥＢサイトにて大サイズの画像をダウンロードすることができる。
【００２９】
次に、ユーザが所持している端末１内にある、ＵＲＬが付加された上記ＪＰＥＧ形式の画像データを、ユーザーインターフェース３を操作し選択する（図２のステップＳ８）。端末１内部にてアプリケーション４がＪＰＥＧデコーダ５を動作させ（ステップＳ９）、ＪＰＥＧデコーダ５では通常の画像のデコード処理を行う（ステップＳ１０）。その際に、ＣＯＭ１にＵＲＬがあれば（もしくは、何らかのフォーマットを用意し、そのフォーマットに当てはまれば）、アプリケーション４へＣＯＭ１に記載されているＵＲＬとＣＯＭ２に記載されているＷＥＢサイトの説明を通知する（ステップＳ１２）。
【００３０】
画像のデコード完了後、ＬＣＤ６に画像を表示させる（ステップＳ１３）。その後、アプリケーション４は、ＬＣＤ６にアイコンで表示、または、ポップアップさせるなどして、ユーザにＵＲＬが付加されていたことを通知して該ＵＲＬにアクセスするか否かの選択指示を行う（ステップＳ１４）。その際にＣＯＭ２に記載されていた説明をユーザに通知する。
次に、ユーザがＷＥＢサイトにアクセスするか否かを選択可能とし（ステップS１５）、アクセスするとした場合には、そのＵＲＬをブラウザ７に通知し、サーバ２のＷＥＢサイトへアクセスし、ＷＥＢサイトをＬＣＤ６に表示する（ステップＳ１６）。
【００３１】
本第１の実施の形態によれば、サーバ２から端末１へ送信される画像データは小さい第２画像データであり、端末１側で最初に確認するのは小さいサイズの画像であるため、ダウンロードや表示にも時間がかからない。端末１が携帯電話の場合だと、パケット代を節約することができる。また小さいサイズなので、転送も容易である。
【００３２】
また、ＵＲＬをＪＰＥＧ画像データに付加させ、それを開くことで、ＷＥＢサイトへのアクセスを容易に行うことができるので、小さいデータ量の第２画像を見てアクセスしたいと思ったときにすぐアクセスさせることができ、アクセス後は大きいデータ量の第１画像を見ることができる。また、ＵＲＬを入力するという煩雑な作業をしなくてもよい。
【００３３】
また、端末１が携帯電話の場合、携帯電話でのＷＥＢアクセスでは、パソコンのブラウザのようにＵＲＬが表示されていないため、普段からＵＲＬを意識していない。そのようなユーザに対しても、違和感なくアクセスさせることができる。ユーザが気に入った場合には、そのＪＰＥＧ画像を転送する可能性があり、ある程度の流通が見込めるという効果をも奏する。
【００３４】
また、本第１の実施の形態に係るＵＲＬを付加したＪＰＥＧを用いたＷＥＢアクセス方法は、ＪＰＥＧ形式の画像のヘッダ部分にＵＲＬを付加し、端末１で画像を表示する際に、ＪＰＥＧのヘッダ部分に付加されているＵＲＬにアクセスを行うようにしている。
また、本第１の実施の形態に係るＵＲＬを付加したＪＰＥＧを用いたＷＥＢアクセス方法では、ＪＰＥＧ形式の画像データが有するヘッダのコメント部分（０ｘＦＦＦＥというマーカから始まる）にＵＲＬを挿入する。
【００３５】
ユーザが持つ端末１は、ＪＰＥＧ形式画像のデコードとデコードした際にヘッダを解析しコメント部分に記載されているＵＲＬをブラウザに通知できるデコーダ５を有し、画像を表示するためのＬＣＤ６やキー入力を行うユーザーインターフェース３などの基本的な機能を持つものが使用できる。上記機能を有した端末１で、ＵＲＬが付加されたＪＰＥＧ形式の画像を開くことで、ユーザがＵＲＬを意識することなく、企業が指定するＷＥＢサイトにアクセスすることが可能になる。
【００３６】
また、本第１の実施の形態に係るサーバ２によれば、前記ネットワークシステムを構築するに適したサーバが提供される。
また、本第１の実施の形態に係るプログラムをコンピュータが実行することにより、サーバ２として機能させることが可能になる。
【００３７】
図３は、本発明の第２の実施の形態に係るネットワークシステムのブロック図で、図１と同一部分には同一符号を付している。
本第２の実施の形態と前記第１の実施の形態との相違点は、ネットワーク１５に接続された第２端末手段を構成する端末２１及び広告サーバ手段を構成するサーバ２２を備えている点である。端末２１は端末１と同一構成である。
【００３８】
端末１は、撮影手段を構成するカメラ８によって撮影した画像及びメールの送信先である端末２のメールアドレスを含むメールを、メール送信手段を構成するアプリケーション４によってネットワーク１５を介してサーバ２２に送信する。
サーバ２２は、ＣＰＵ２９、表示手段を構成する表示部３０、操作手段を構成する操作部３１、記憶手段を構成する磁気ディスク記憶部３２を有している。磁気ディスク記憶部３２は、メールアドレスと口座番号を対応付けて記憶した口座番号記憶手段３３を有している。
【００３９】
ここで、ＣＰＵ２９は、電子メールを受信する受信手段、受信したメールの画像データに宣伝用ＵＲＬを付加するＵＲＬ付加手段、前記宣伝用ＵＲＬを付加したメールを、該メールの送信先である端末２１に送信する送信手段、口座番号記憶手段３３を参照して、前記宣伝用ＵＲＬを付加したメールの送信元（端末１）及び送信先（端末２）のメールアドレスに対応する口座番号に所定金額を送金する送金手段を構成している。
【００４０】
広告付加サービスを行う場合、前記第１の実施の形態と同様に、企業側（サーバ２２側）においてＪＰＥＧ形式画像データにＵＲＬを付加させる。
メール送信元の端末１がカメラ８によって写真を撮影し、その写真の画像データをメールに添付してメール送信先である端末２１に送信する場合、端末１は前記メールを広告付加サービスを行う広告サーバ２２に送信する。
【００４１】
サーバ２２では、ＵＲＬ付加手段を構成するＣＰＵ２９が、端末１から受信したメールのＪＥＰＧ形式の画像に企業宣伝のためのＵＲＬを付加する。次に、送信手段を構成するＣＰＵ２９が、前記宣伝用ＵＲＬを付加したメールを、該メールの送信先である端末２１に送信する。
【００４２】
端末２１は、ネットワーク１５を介してサーバ２２から前記メールを、受信手段を構成するアプリケーション４によって受信し、ＬＣＤ６は前記受信したメールに含まれる画像データ及び前記宣伝用ＵＲＬにアクセスするか否かの選択指示を表示する。操作手段を構成するユーザインタフェース３が前記ＵＲＬにアクセスすることを選択したことに応答して、アクセス手段を構成するブラウザ７が前記画像データに含まれるＵＲＬにアクセスする。これにより、端末２１によって企業広告を見るように誘導できる。
【００４３】
また、サーバ２２では、送金手段を構成するＣＰＵ２９が、口座番号記憶手段３３を参照して、端末１及び端末２１のメールアドレスに対応する口座番号に所定金額を送金する。これにより、端末１、端末２のユーザには、広告料として、所定金額（例えば、メール送受信に必要な料金）がキャッシュバックされる。
【００４４】
また、サーバ２２により、前記ネットワークシステムが好適に構築される。また、本実施の形態に係るプログラムをコンピュータが実行することにより、サーバ２２として機能させることが可能になる。
尚、前記実施の形態では、ＵＲＬやコメントなどの付加が容易なように、画像データ形式としてＪＰＥＧを用いたが、必要に応じてＧＩＦ（Graphics Interchange Format）等の他の形式の画像データを使用してもよい。
【産業上の利用可能性】
【００４５】
携帯電話機、ＰＨＳ（Personal Handyphone System）、ＰＤＡ（Personal Data Assistance,Personal Digital Assistants：個人向け携帯型情報通信機器）、携帯型パーソナルコンピュータ等の通信機能を有する携帯型電子機器をはじめとして、ディスクトップ型パソコン等の各種の通信機能を有する電子機器を端末として用いたネットワークシステムに適用可能である。
【図面の簡単な説明】
【００４６】
【図１】本発明の第１の実施の形態に係るネットワークシステムのブロック図である。
【図２】本発明の第１の実施の形態に係るネットワークシステムの処理を示すフローチャートである。
【図３】本発明の第２の実施の形態に係るネットワークシステムのブロック図である。
【符号の説明】
【００４７】
１・・・第１端末手段を構成する端末
２・・・画像サーバ手段を構成するサーバ
３・・・操作手段を構成するユーザインタフェース
４・・・早春手段及び受信手段を構成するアプリケーション
５・・・ＪＰＥＧデコーダ
６・・・表示手段を構成するＬＣＤ
７・・・受信手段及びアクセス手段を構成するブラウザ
８・・・撮影手段を構成するカメラ
９・・・画像データ生成手段及び送信手段を構成するＣＰＵ
１０・・・表示手段を構成する表示部
１１、３１・・・操作手段を構成する操作部
１２、３２・・・記憶手段を構成する磁気ディスク記憶部
１３・・・画像データ記憶手段
１４・・・送信先アドレス記憶手段
１５・・・ネットワーク
２１・・・第２端末手段を構成する端末
２２・・・広告サーバ手段を構成する広告サーバ
２９・・・ＵＲＬ付加手段、送信手段及び送金手段を構成するＣＰＵ
３０・・・表示部
３３・・・口座番号記憶手段
【図１】
2008146462.tif 000003
【図２】
2008146462.tif 000004
【図３】
2008146462.tif 000005